(57)【要約】      （修正有）【課題】粉体や液体、その他からなる食品や薬剤などを袋状に包装した袋状包装体を、怪我や病気によって片手が不自由な人にあっても、内容物を撒き散らすことなく、片手で簡単確実に開封出来る袋状包装体開封補助具を提供する。【解決手段】補助具本体部２と挟持板部１６とからなる袋状包装体開封補助具１において、押さえ具１１を一体的に設けたクリップボード７に挟持板１７を係止して、差込口３０と挟持部２７及び空室２８を形成し、差込口から差し込んだ袋状包装体を挟持部で適度に押さえて挟持し、袋状包装体の上部を挟持部の上方で、鋏３１を使い簡単確実に開封出来るようにする。【選択図】図１
0003169129.tif 000002
【実用新案登録請求の範囲】
【請求項１】
補助具本体部と挟持板部とからなる袋状包装体開封補助具において、押さえ具を一体的に設けたクリップボードに挟持板を係止して、差込口と挟持部及び空室を形成し、差込口から差し込んだ袋状包装体を挟持部で適度に押さえて挟持することを特徴とする袋状包装体開封補助具。
【請求項２】
前記差込口は、上方に向かって開口する差込口であり、挟持部及び空室の上方に配置し、挟持した袋状包装体を挟持部の上方で裁断開封可能にしたことを特徴とする請求項１に記載の袋状包装体開封補助具。
【考案の詳細な説明】
【技術分野】
【０００１】
本考案は、怪我や病気によって片手が不自由な人にあっても、粉体や液体、その他からなる食品や薬剤などを袋状に包装した袋状包装体を、内容物を撒き散らすことなく、片手で簡単確実に開封出来る袋状包装体開封補助具に関する。
【背景技術】
【０００２】
従来、粉体や液体、その他からなる食品や薬剤などを袋状に包装した袋状包装体はその使い勝手の良さから日増しに増加している状況にある。その開封については、袋状包装体の周縁にスリットやギザギザ状の切れ目を入れたものや開封テープを添付したものなど、簡単に開封できるように工夫されている。
【考案の概要】
【考案が解決しようとする課題】
【０００３】
しかし、これらの工夫はいずれも両手が使えることを前提にしたものであり、怪我や病気によって片手が不自由な人にあっては、中々開封できるものではなく、箱などを支えにして鋏などで切って開封しようとしても、確実に支持されていない為、粉体や液体、その他からなる食品や薬剤などの内容物を撒き散らしてしまうことが多く、片手が使えるにも関わらず、誰かいなければインスタントラーメン1つ作れないような場合もあり、自立の妨げになっているところである。
【０００４】
本考案は、かかる問題点に鑑みてなされたものであって、怪我や病気によって片手が不自由な人にあっても、粉体や液体、その他からなる食品や薬剤などを袋状に包装した袋状包装体を、内容物を撒き散らすことなく、片手で簡単確実に開封出来る袋状包装体開封補助具を提供し、片手の不自由な人の自立を助けることを目的とする。
【課題を解決するための手段】
【０００５】
上記の課題を解決するために、本考案は、補助具本体部と挟持板部とからなる袋状包装体開封補助具において、押さえ具を一体的に設けたクリップボードに挟持板を係止して、差込口と挟持部及び空室を形成し、差込口から差し込んだ袋状包装体を挟持部で適度に押さえて挟持することを特徴とする袋状包装体開封補助具を提供する。
【０００６】
前記差込口は、上方に向かって開口する差込口であり、挟持部及び空室の上方に配置し、挟持した袋状包装体を挟持部の上方で裁断開封可能にする。
【０００７】
前記補助具本体部は、基板と滑り止及び支持台及びクリップボードとからなり、一体的に形成されている。基板下面の全面もしくは一部に設けた滑り止は、静止摩擦力の大きい材質、形状であり、基板上面に設けた支持台は、少なくともその１側面が上方に向かってすぼむ傾斜面であり、その上面には差込穴が設けてある。支持台の傾斜面に設けたクリップボードは、その全部もしくは殆どが前記基板上にあり、クリップボード下辺部上面には押さえ具が一体的に設けてある。
【０００８】
なお、基板と支持台及びクリップボードは、それぞれ木質系材料を機械加工して形成し、ビスや接着によって一体化するが、その一部もしくは全部を樹脂や金属からなる材料で代替し、射出や曲げ加工などによって一体的に形成しても良いことは当然である。また、クリップボードは長方形のみならず、様々な形状、例えばハート形であってもいいことも当然である。
【０００９】
押さえ具は、取り付けに供する取付板と、該取付板に取り付けられて押さえ力を発生するバネ及び該バネを覆い隠すバネカバー及び押さえ力を他に伝える押さえバーとによって構成されるが、これは一般的なクリップボード用クリップの構成であり、従って、押さえ具は該クリップと同等の挟持機能を有する他の構造体で代替してもかまわないことは当然である。
【００１０】
挟持板部は、挟持板下辺部と凹状部及び挟持板上辺部とからなる、樹脂等からなる薄板を折り曲げ、もしくは接着などして形成された挟持板と、該挟持板下辺部上面に一体的に設けられた外れ止とからなり、該外れ止めは、挟持板下辺部及び凹状部と共に係止用凹溝を形成している。
【００１１】
凹状部は、挟持板下辺部から立ち上がる袋受台とそれにつながる挟持板背部及び該挟持板背部から立ち下がる凹状上辺部とで形成された、幅方向に開放され、厚み方向にも十分深い凹状の空間である。
【００１２】
挟持板上辺部は、差込案内面となるよう曲げられ、凹状上辺部と共に挟持板上辺部稜線を形成する。
【００１３】
挟持板は、挟持板下辺部をバネカバーに載せるとともに、係止用凹溝に押さえバーを嵌入させ、クリップボードと係脱可能に係止する。挟持板は押さえバーによって付勢されるので、挟持板上辺部稜線は常にクリップボードに押し付けられ、当接するクリップボードと共に挟持部を形成する。凹状部も同じく、クリップボードと共に、幅方向に開放され、厚み方向に十分深い空室を形成する。挟持板上辺部はクリップボード上辺部と共に、幅方向に開放され、上方に向かってＶ字状に開口する、案内面を有する十分大きい差込口を形成する。
【００１４】
なお、挟持板下辺部をバネカバーに載せるのは、挟持板下辺部と袋受台が形成する挟持板下辺部稜線がクリップボードに接触しないようにして、挟持板上辺部稜線を確実にクリップボードに押し付ける為であるが、バネカバーの代わりに挟持板下辺部下面に突起を設けるなどして、挟持板下辺部稜線がクリップボードに接触しないよう形成してもいいことは当然であり、これは当然本考案に含まれる所である。
【００１５】
また、特に図示しないが、挟持板背部をバネなどで押すか引くかして挟持力を得る場合は挟持板下辺部稜線がクリップボードに接触してもいいことは当然であり、これもまた当然本考案に含まれる所である。
【００１６】
また、押さえ具の付勢力は、袋状包装体の厚い薄い、重い軽いに関わらず挟持可能な力が得られるようバネの力を適当に設定する。
【００１７】
袋状包装体は挟持部で挟持するが、差込口を形成するクリップボード上辺部もしくは挟持板上辺部の斜面を案内面とし、挟持部を袋状包装体で押し開くようにしながら差し込んで挟持する。袋状包装体が薄く剛性が無い場合は、指で案内しながら差し込んで挟持する。
【００１８】
また、袋状包装体が大きく、重い場合は、挟持部で挟持すると共に傾斜したクリップボード及び袋受台で支えるようにする。小さい袋状包装体は、挟持部が常に閉じているので、挟持板上辺部やクリップボード上辺部に立てかけて支えてもよい。
【００１９】
挟持された袋状包装体は、鋏を使い、挟持部上方において裁断開封するが、使用する鋏は、あらかじめ差込穴に差し込んでおくことが好ましい。
【考案の効果】
【００２０】
本考案の袋状包装体開封補助具によれば、粉体や液体、その他からなる食品や薬剤などを袋状に包装した袋状包装体３２を、怪我や病気によって片手が不自由な人にあっても、内容物を撒き散らすことなく、片手で簡単確実に開封出来る。
【図面の簡単な説明】
【００２１】
【図１】本考案の第1実施形態の袋状包装体開封補助具を示す斜視図である。
【図２】第１実施形態の側面部分断面図である。
【図３】第１実施形態の正面図である。
【図４】第１実施形態の第１使用例を示す側面図である。
【図５】第１実施形態の第２使用例を示す側面図である。
【考案を実施するための形態】
【００２２】
以下、本考案の第1実施形態について、詳細に説明する。
【実施例】
【００２３】
以下、図面に基づき本考案の最良の実施形態について述べる。なお、以下に述べる実施の形態は、本考案の最良の具体例であるから、技術的に好ましい限定がなされているが、本考案の範囲は、以下の説明において特に本考案を限定する旨の記載がない限り、これらの態様に限られるものではない。
【００２４】
図1は、本考案の第1実施形態の袋状包装体開封補助具を示す斜視図である。また、図２は、第1実施形態の補助具本体部と挟持板部の係止の状態を示す側面部分断面図であり、図３は、第1実施形態の正面図である。図４、５は第１実施形態の第１、２使用例を示す側面図である。
【００２５】
図1、２、３において、補助具本体部２と挟持板部１６とからなる袋状包装体開封補助具１は、押さえ具１１を一体的に設けたクリップボード７に挟持板１７を係止して、差込口３０と挟持部２７及び空室２８を形成する。
【００２６】
差込口３０は、上方に向かって開口する差込口であり、挟持部２７及び空室２８の上方に配置し、図４、５に示す使用例の如く袋状包装体３２を挟持部の上方で裁断開封可能に挟持する。
【００２７】
補助具本体部２は、基板３と滑り止４及び支持台５及びクリップボード７とからなり、一体的に形成されている。基板３下面の全面もしくは一部に設けた滑り止４は、静止摩擦力の大きい材質、形状であり、基板上面に設けた支持台５は、少なくともその１側面が上方に向かってすぼむ傾斜面であり、その上面には差込穴６が設けてある。支持台の傾斜面に設けたクリップボード７は、その全部もしくは殆どが前記基板上にあり、クリップボード下辺部８上面には押さえ具１１が一体的に設けてある。
【００２８】
なお、基板３と支持台５及びクリップボード７は、それぞれ木質系材料を機械加工して形成し、ビス１０や接着によって一体化するが、その一部もしくは全部を樹脂や金属からなる材料で代替し、射出や曲げ加工などによって一体的に形成しても良いことは当然である。また、クリップボード７は長方形のみならず、様々な形状、例えばハート形であってもいいことも当然である。
【００２９】
押さえ具１１は、取り付けに供する取付板１２と、該取付板に取り付けられて押さえ力を発生するバネ１３及び該バネを覆い隠すバネカバー１５及び押さえ力を他に伝える押さえバー１４とによって構成されるが、これは一般的なクリップボード用クリップの構成であり、従って、押さえ具１１は該クリップと同等の挟持機能を有する他の構造体で代替してもかまわないことは当然である。
【００３０】
挟持板部１６は、挟持板下辺部１８と凹状部１９及び挟持板上辺部２０とからなる、樹脂等からなる薄板を折り曲げ、もしくは接着などして形成された挟持板１７と、該挟持板下辺部上面に一体的に設けられた外れ止２１とからなり、該外れ止めは、挟持板下辺部及び凹状部と共に係止用凹溝２２を形成している。
【００３１】
凹状部１９は、挟持板下辺部１８から立ち上がる袋受台２３とそれにつながる挟持板背部２４及び該挟持板背部から立ち下がる凹状上辺部２５とで形成された、幅方向に開放され、厚み方向にも十分深い凹状の空間である。
【００３２】
挟持板上辺部２０は、差込案内面となるよう曲げられ、凹状上辺部２５と共に挟持板上辺部稜線２６を形成する。
【００３３】
挟持板１７は、挟持板下辺部１８をバネカバー１５に載せるとともに、係止用凹溝２２に押さえバー１４を嵌入させ、クリップボード７と係脱可能に係止する。
【００３４】
挟持板１７は押さえバー１４によって付勢されるので、挟持板上辺部稜線２６は常にクリップボード７に押し付けられ、当接するクリップボードと共に挟持部２７を形成する。凹状部１９も同じく、クリップボード７と共に、幅方向に開放され、厚み方向に十分深い空室２８を形成する。挟持板上辺部２０はクリップボード上辺部９と共に、幅方向に開放され、上方に向かってＶ字状に開口する、案内面を有する十分大きい差込口３０を形成する。
【００３５】
なお、挟持板下辺部１８をバネカバー１５に載せるのは、挟持板下辺部と袋受台２３が形成する挟持板下辺部稜線２９がクリップボード７に接触しないようにして、挟持板上辺部稜線２６を確実にクリップボードに押し付ける為であるが、バネカバー１５の代わりに挟持板下辺部下面に突起を設けるなどして、挟持板下辺部稜線がクリップボードに接触しないよう形成してもいいことは当然であり、これは当然本考案に含まれる所である。
【００３６】
また、特に図示しないが、挟持板背部２４をバネなどで押すか引くかして挟持力を得る場合は、挟持板下辺部稜線２９がクリップボード７に接触してもいいことは当然であり、これもまた当然本考案に含まれる所である。
【００３７】
また、押さえ具１１の付勢力は、袋状包装体３２の厚い薄い、重い軽いに関わらず挟持可能な力が得られるようバネ１３の力を適切に設定する。
【００３８】
袋状包装体３２は挟持部２７で挟持するが、差込口３０を形成するクリップボード上辺部９もしくは挟持板上辺部２０の斜面を案内面とし、挟持部を袋状包装体で押し開くようにしながら差し込んで挟持する。袋状包装体が薄く剛性が無い場合は、指で案内しながら図５に示すように差し込んで挟持する。
【００３９】
また、袋状包装体３２が大きく重い場合は、図４に示すように挟持部２７で挟持すると共に傾斜したクリップボード７及び袋受台２３で支えるようにする。小さい袋状包装体３２は、挟持部２７が常に閉じているので、挟持板上辺部２０やクリップボード上辺部９に立てかけて支えてもよい。
【００４０】
挟持された袋状包装体３２は、鋏３１を使い、挟持部２７上方において裁断開封するが、使用する鋏は、あらかじめ差込穴６に差し込んでおくことが好ましい。
【００４１】
本考案になる袋状包装体１は、以上詳細に述べて来たような構成であるので、本考案によれば、次のような効果を得ることが出来る。
【００４２】
差入口３０がＶ字状に十分大きく開口しているので、厚く大きい袋状包装体３２であっても案内面を使って片手で簡単に差し込むことが出来る。また、剛性の無い薄い袋状包装体であっても、指で案内しながら差し込むことが出来る。
【００４３】
また、空室２８が厚み方向に十分深く形成されており、クリップボード７も傾斜して設けられ、更に、袋受台２３も設けてあるので、厚く重い袋状包装体３２であっても確実に挟持出来る。
【００４４】
挟持板上辺部稜線２６はクリップボード７に常に押し付けられており、押さえ具１１によって十分な挟持力を持つので、袋状包装体３２の厚い薄い、重い軽いに関わらず、確実に挟持することが出来る。
【００４５】
なお、小さい袋状包装体３２は挟持させず、クリップボード上辺部９や挟持板上辺部２０に立てかけるだけで簡便に保持することが出来る。
【００４６】
挟持もしくは保持された袋状包装体３２は鋏３１で裁断開封するが、基板３下面に静止摩擦力の大きい滑り止４が設けてあり、支持台５とクリップボード７及び挟持板部１６の全部もしくは殆どが基板上にあり、しかも、差込口３０も基板上にあるので、袋状包装体開封補助具１が全体として安定していて動きにくく、片手での差込、挟持、開封作業が容易かつ確実に出来る。
【００４７】
また、開封された袋状包装体３２は上向きに挟持され、しかも、切り口の下側が挟持されているので、内容物が粉体や液体であってもこぼれることがない。
【００４８】
また、差込口３０と空室２８は共に幅方向に開放されているので上方のみならず幅方向にも出し入れが可能で、使い勝手の自由度が高い。
【００４９】
また、支持台５に差込穴６が設けてあるので、使用後の鋏３１の始末が簡便に出来る。
【００５０】
また、クリップボード７と挟持板１７とが係脱可能に係止されているので、分解組立てが簡単に出来る。
【産業上の利用可能性】
【００５１】
本考案になる袋状包装体開封補助具１は、怪我や病気によって片手が不自由な人にあっても、粉体や液体、その他からなる食品や薬剤などを袋状に包装した袋状包装体を、内容物を撒き散らすことなく、片手で簡単確実に開封出来る袋状包装体開封補助具を提供し、片手の不自由な人の自立を助けることが出来る。
【符号の説明】
【００５２】
１  袋状包装体開封補助具
２  補助具本体部
３  基板
４  滑り止
５  支持台
６  差込穴
７  クリップボード
８  クリップボード下辺部
９  クリップボード上辺部
１０  ビス
１１  押さえ具
１２  取付板
１３  バネ
１４  押さえバー
１５  バネカバー
１６  挟持板部
１７  挟持板
１８  挟持板下辺部
１９  凹状部
２０  挟持板上辺部
２１  外れ止め
２２  係止用凹溝
２３  袋受台
２４  挟持板背部
２５  凹状上辺部
２６  挟持板上辺部稜線
２７  挟持部
２８  空室
２９  挟持板下辺部稜線
３０  差込口
３１  鋏
３２  袋状包装体
【図１】
0003169129.tif 000003
【図２】
0003169129.tif 000004
【図３】
0003169129.tif 000005
【図４】
0003169129.tif 000006
【図５】
0003169129.tif 000007